(57)【要約】【課題】分岐ブレーカの定格電圧値の設定作業を省略できる電流計測器及びそれを用いた分電盤を提供する。【解決手段】電流計測器５は、第１検出部５２１と、第２検出部５２２と、処理回路５３とを備えている。第１検出部５２１は、単相３線式の主幹ブレーカから複数の分岐ブレーカへの電力の電路において、Ｌ１相、Ｌ２相のうち一方の電圧相の電流値情報を検出する。第２検出部５２２は、Ｌ１相、Ｌ２相のうち他方の電圧相に電流が流れているか否かを検出する。処理回路５３は、第１検出部５２１が検出した電流値情報及び第２検出部５２２の検出結果に基づいて、Ｌ１相−Ｌ２相間に負荷が接続されているか、一方の電圧相（Ｌ１相又はＬ２相）と中性相との間に負荷が接続されているかを判断して外部に出力する。【選択図】図１
2015208095.tif 000002
【特許請求の範囲】
【請求項１】
単相３線式の主幹ブレーカから複数の分岐ブレーカへの電力の電路において、２つの電圧相のうち一方の電圧相の電流値情報を検出する第１検出部と、
他方の前記電圧相に電流が流れているか否かを検出する第２検出部と、
前記第１検出部が検出した電流値情報及び前記第２検出部の検出結果に基づいて、前記２つの電圧相間に負荷が接続されているか、又は前記一方の電圧相と中性相との間に前記負荷が接続されているかを判断する判断部と
を備えていることを特徴とする電流計測器。
【請求項２】
前記第２検出部は、前記２つの電圧相のうち前記他方の電圧相の電流値情報を検出し、
前記判断部は、前記第１検出部が検出した電流値情報と前記第２検出部が検出した電流値情報との差が所定の範囲内に収まっているか否かに応じて、前記２つの電圧相の間に前記負荷が接続されていると判断するように構成されている
ことを特徴とする請求項１に記載の電流計測器。
【請求項３】
前記第２検出部は、前記２つの電圧相の電路の周りに配置されて前記２つの電圧相のうち少なくとも一方の電路から発生する磁束に応じた電気信号を出力するように構成され、
前記判断部は、前記第２検出部の出力が所定の閾値以下か否かに応じて、前記２つの電圧相の間に前記負荷が接続されていると判断するように構成されている
ことを特徴とする請求項１に記載の電流計測器。
【請求項４】
請求項１乃至３の何れか１項に記載の電流計測器と、
前記主幹ブレーカと、
前記複数の分岐ブレーカと、
前記電流計測器、前記主幹ブレーカ、及び前記複数の分岐ブレーカが取り付けられる分電盤用キャビネットと
を備えることを特徴とする分電盤。
【発明の詳細な説明】
【技術分野】
【０００１】
本発明は、一般に電流計測器及びそれを用いた分電盤に関し、より詳細には単線３相式の電路に用いられる電流計測器及びそれを用いた分電盤に関する。
【背景技術】
【０００２】
従来、主幹ブレーカと、複数の分岐ブレーカとを備えた単線３相式の分電盤が広く知られている（例えば特許文献１参照）。特許文献１に記載の分電盤は、主幹ブレーカの電流値及び分岐ブレーカの電流値を受け取る計測制御ユニットを備えている。計測制御ユニットの設定スイッチを操作することにより、計測制御ユニット内に記憶されている各々の分岐ブレーカの定格電圧値を１００Ｖ又は２００Ｖに設定する。
【先行技術文献】
【特許文献】
【０００３】
【特許文献１】特開２００９−１３１００８号公報
【発明の概要】
【発明が解決しようとする課題】
【０００４】
特許文献１に記載の分電盤では、施工後の分電盤において、分岐ブレーカにつながる配線の切替や分岐ブレーカの定格電圧値の変更を行った後に、各々の分岐ブレーカの定格電圧値を設定し直さなければならない場合がある。分電盤に変更を加えた後に作業者が、分岐ブレーカの定格電圧値の設定作業を忘れたり、定格電圧値の設定値を間違えたりする可能性があった。
【０００５】
本発明は上記課題に鑑みて為され、分岐ブレーカの定格電圧値の設定作業を省略できる電流計測器及びそれを用いた分電盤を提供することを目的とする。
【課題を解決するための手段】
【０００６】
上記課題を解決するために、本発明の電流計測器は、単相３線式の主幹ブレーカから複数の分岐ブレーカへの電力の電路において、２つの電圧相のうち一方の電圧相の電流値情報を検出する第１検出部と、他方の前記電圧相に電流が流れているか否かを検出する第２検出部と、前記第１検出部が検出した電流値情報及び前記第２検出部の検出結果に基づいて、前記２つの電圧相間に負荷が接続されているか、又は前記一方の電圧相と中性相との間に前記負荷が接続されているかを判断する判断部とを備えていることを特徴とする。
【０００７】
本発明の分電盤は、上記の電流計測器と、前記主幹ブレーカと、前記複数の分岐ブレーカと、前記電流計測器、前記主幹ブレーカ、及び前記複数の分岐ブレーカが取り付けられる分電盤用キャビネットとを備えることを特徴とする。
【発明の効果】
【０００８】
本発明の電流計測器は、分岐ブレーカの定格電圧値の設定作業を省略できる。
【０００９】
本発明の分電盤は、上記した電流計測器を備えているので、分岐ブレーカの定格電圧値の設定作業を省略できる。
【図面の簡単な説明】
【００１０】
【図１】実施形態１に係る電流計測器の要部を示す概略図である。
【図２】実施形態１に係る分電盤の概略構成図である。
【図３】実施形態１に係る分電盤の要部を示す斜視図である。
【図４】実施形態１に係る分電盤の要部を示す断面図である。
【図５】実施形態１に係る電流計測器の動作を説明するための説明図である。
【図６】実施形態１に係る電流計測器の動作を説明するためのフローチャートである。
【図７】実施形態２に係る電流計測器の要部を示す概略図である。
【図８】実施形態２に係る電流計測器の動作を説明するための説明図である。
【図９】実施形態２に係る電流計測器の動作を説明するためのフローチャートである。
【発明を実施するための形態】
【００１１】
（実施形態１）
本実施形態では、分電盤１が設置される電力の需要家（customer's facility）が、戸建住宅である場合を例に説明するが、この例に限らず、需要家は例えば集合住宅の各住戸、事務所、店舗、工場等であってもよい。また、以下では、分電盤１が壁に取り付けられた状態での上下左右（図２の上下左右）を上下左右とし、壁に直交する方向（図２の紙面に直交する方向）を前後方向として説明するが、分電盤１を取り付ける向きを限定する趣旨ではない。
【００１２】
以下、本実施形態に係る分電盤用キャビネット１０、及びそれを用いた分電盤１について詳しく説明する。ただし、以下に説明する構成は、本発明の一例に過ぎず、本発明は、下記実施形態に限定されることはなく、この実施形態以外であっても、本発明に係る技術的思想を逸脱しない範囲であれば、設計等に応じて種々の変更が可能である。
【００１３】
まず、分電盤１について図２〜図４を参照して説明する。尚、図１に示す電流計測器５についての詳細は後述する。
【００１４】
本実施形態の分電盤１は計測器付き分電盤用キャビネット１０を備えている。計測器付き分電盤用キャビネット１０は、図２及び図３に示すように、キャビネット本体１１と、導電バー４１，４２，４３と、電流を計測する電流計測器５とを備えている。導電バー４１，４２，４３は、キャビネット本体１１に固定され、主幹ブレーカ２から複数の分岐ブレーカ３，３…への電力の経路を形成する。以下、「計測器付き分電盤用キャビネット」を単に「分電盤用キャビネット」という。
【００１５】
分電盤１では、配電方式として単相三線式を想定していて、第１の電圧極（Ｌ１相）の導電バー４１と、第２の電圧極（Ｌ２相）の導電バー４２と、中性極（Ｎ相）の中性極バー４３との計３本が設けられている。
【００１６】
＜基本構成＞
本実施形態に係る分電盤１は、図２に示すように、分電盤用キャビネット１０と、分電盤用キャビネット１０に取り付けられる分電盤用内器（以下、単に「内器」という）とを備えている。内器は、少なくとも主幹ブレーカ２及び複数の分岐ブレーカ３，３…を含んでおり、本実施形態ではさらに電流計測器５（図３参照）、計測ユニット６、第１通信アダプタ７１、第２通信アダプタ７２、第３通信アダプタ７３、二次連系ブレーカ８を含んでいる。また、分電盤用キャビネット１０は、図２に示す内器以外にも、例えば一次連系ブレーカ（図示せず）等の内器を取り付けるスペースを有している。
【００１７】
まず、分電盤用キャビネット１０の基本構成について説明する。
【００１８】
分電盤用キャビネット１０は、図２に示すように、正面視が横長の長方形状となり前面が開口した箱状に形成されており、住宅の壁等に取り付けて使用されるキャビネット本体１１を備えている。ここでは、キャビネット本体１１には、前面の開口を塞ぐ位置と開放する位置との間で開閉可能な外蓋（図示せず）が取り付けられる。
【００１９】
さらに、キャビネット本体１１において外蓋の内側には、キャビネット本体１１の前面の開口を塞ぐように内蓋（図示せず）が取り付けられる。この内蓋には、少なくとも主幹ブレーカ２及び複数の分岐ブレーカ３，３…の一部を前方に露出させる窓孔（図示せず）が形成されている。図２は、外蓋及び内蓋が外された状態の分電盤１を示している。尚、外蓋及び内蓋はそれぞれ、分電盤用キャビネット１０に含まれていてもよいし、分電盤用キャビネット１０に含まれていなくてもよい。
【００２０】
キャビネット本体１１は、合成樹脂製であって矩形枠状に形成された枠体１１０と、枠体１１０の開口部の上下方向における両側間に架け渡された桟部１１１〜１１４とを有している。これら４本の桟部１１１〜１１４は、右側から順に桟部１１１，１１２，１１３，１１４の順に並んでおり、桟部１１２と桟部１１３は一体に形成されている。この構成では、キャビネット本体１１は、枠体１１０の開口部によって、前後方向に貫通する孔が後壁に形成されており、この孔を通して背面から内部に配線を引き込むことが可能である。
【００２１】
さらに、キャビネット本体１１は、一対の桟部１１１，１１２に跨って取り付けられた支持板１２及びベース台１３（図３参照）を有している。支持板１２は、例えばブリキ（スズめっきされた鉄）等の磁性材料にて形成されている。支持板１２は、左右方向の両端部が一対の桟部１１１，１１２にねじ止めされることによって固定されている。ベース台１３は、例えば合成樹脂等の非磁性材料からなり、支持板１２の厚み方向の一面である前面に取り付けられている。尚、支持板１２はブリキに限らず、例えば亜鉛めっき鋼板（ＳＧＣＣ）を用いて構成されていてもよい。
【００２２】
キャビネット本体１１は、ブレーカ等の種々の内器を取り付けるためのスペースを備えている。本実施形態では、キャビネット本体１１は、主幹ブレーカ２が配置される第１スペースを一対の桟部１１２，１１３間に備えている。さらにキャビネット本体１１は、複数の分岐ブレーカ３，３…が配置される第２スペース、及び電流計測器５が配置される第３スペースをベース台１３に備えている。
【００２３】
ここでは、第１スペースは、キャビネット本体１１前面の中心よりも左寄り、且つ下寄りの位置に設けられている。キャビネット本体１１は、第１スペースの上方、下方、左方、右方には、それぞれ十分なスペースを確保している。第２スペース及び第３スペースは、第１スペースの右側に設けられている。
【００２４】
詳しくは後述するが、複数の分岐ブレーカ３，３…は中性極バー４３の上側と下側とに分かれて、それぞれ複数個（図２の例では１１個）ずつ左右方向に並ぶように配置される。そのため、複数の分岐ブレーカ３，３…を取り付けるための第２スペースは、キャビネット本体１１における第１スペースの右側であって、中性極バー４３の上側と下側とにそれぞれ設けられることになる。電流計測器５を取り付けるための第３スペースは、中性極バー４３の後方に設けられる。
【００２５】
このキャビネット本体１１は、後述する一次連系ブレーカ（図示せず）が配置される第４スペースを一対の桟部１１３，１１４間に備えている。また、キャビネット本体１１は、後述する計測ユニット６が配置される第５スペースを第１スペースの下方に備えている。さらに、キャビネット本体１１は、後述する第１通信アダプタ７１、第２通信アダプタ７２、第３通信アダプタ７３が配置される第６スペースを桟部１１４の左方に備えている。
【００２６】
このように、本実施形態の分電盤用キャビネット１０は、第４〜第６スペースをキャビネット本体１１に備えることにより、主幹ブレーカ２及び複数の分岐ブレーカ３，３…並びに電流計測器５以外の種々の内器を付加的に取り付け（後付け）可能である。ただし、キャビネット本体１１は、主幹ブレーカ２が取り付けられる第１スペース、及び複数の分岐ブレーカ３，３…が取り付けられる第２スペース、並びに電流計測器５が取り付けられる第３スペースを備えていればよい。つまりキャビネット本体１１は、最小限の構成として第１〜第３スペースを備えていればよく、その他のスペースは適宜省略されていてもよい。
【００２７】
ところで、分電盤用キャビネット１０は、図３に示すように、第１の電圧極の導電バー４１、第２の電圧極の導電バー４２、中性極バー４３をさらに備えている。これら３本の導電バー４１，４２，４３は、それぞれベース台１３に取り付けられることによって、キャビネット本体１１に固定されている。
【００２８】
より詳細には、ベース台１３は、支持板１２に取り付けられた背板１３１と、背板１３１の前面における左右方向の両端部からそれぞれ前方に突出した一対の支柱１３２，１３２とを有している。一対の支柱１３２，１３２は、背板１３１の前面における上下方向の中央部に配置されている。
【００２９】
さらに、ベース台１３は、図４に示すように、背板１３１の前面の左右方向に沿った中心線から前方に突出した隔壁１３３と、一対の支柱１３２，１３２の間の空間を左右方向において等間隔で仕切る複数の仕切り１３４，１３４…とを有している。尚、本実施形態ではベース台１３は左右方向において複数（ここでは４つ）に分割可能に構成されているが、この構成に限らず、ベース台１３は一体に形成されていてもよい。
【００３０】
中性極バー４３は、導電性を有する金属板にて、左右方向に長い長尺板状に形成されており、一対の支柱１３２，１３２間に架け渡されるように、左右方向の各端部がそれぞれ支柱１３２の先端部（前端部）に固定される。ここで、隔壁１３３は、背板１３１の前方からの突出高さが支柱１３２，１３２及び仕切り１３４，１３４…に比べて低く、中性極バー４３と隔壁１３３との間には隙間が形成される。
【００３１】
第１の電圧極の導電バー４１は、導電性を有する金属板にて形成されており、背板１３１の前方のうち隔壁１３３より上側の領域に取り付けられる。この導電バー４１は、左右方向に長い長尺板状であって背板１３１の前方に配置される（第１の）平板４１２と、平板４１２の下端縁から前方に突出した（第１の）突出片４１３とを有している。
【００３２】
ここでは、突出片４１３は、一対の支柱１３２，１３２の間において平板４１２から隔壁１３３に沿って前方に立ち上がるように形成されており、且つ左右方向において複数の仕切り１３４，１３４…により複数に分断されている。言い換えれば、複数に分断された突出片４１３，４１３…は、隣接する支柱１３２−仕切り１３４間、あるいは隣接する一対の仕切り１３４，１３４間にそれぞれ配置されている。
【００３３】
各突出片４１３の先端部は二股に分かれており、一方が上向きに突出する（第１の）接続端子４１１となり、他方が下向きに突出する（第２の）接続端子４１１となる。つまり、複数の接続端子４１１，４１１…は、突出片４１３の先端から延長されており、且つ平板４１２の長手方向に分割されている。下向きに突出する接続端子４１１は、上向きに突出する接続端子４１１に比べて前方に位置しており、隔壁１３３と中性極バー４３との間の隙間を通して隔壁１３３の下側へ突出する。
【００３４】
第２の電圧極の導電バー４２は、隔壁１３３に対して第１の電圧極の導電バー４１と略
対称となる形状を採用しており、基本的な構成が第１の電圧極の導電バー４１と共通している。すなわち、第２の電圧極の導電バー４２は、導電性を有する金属板にて形成されており、背板１３１の前方の隔壁１３３より下側の領域に取り付けられる。この導電バー４２は、左右方向に長い長尺板状であって背板１３１の前方に配置される（第２の）平板４２２と、平板４２２の上端縁から前方に突出した（第２の）突出片４２３とを有している。
【００３５】
突出片４２３は、左右方向において複数の仕切り１３４，１３４…により複数に分断されている。各突出片４２３の先端部は二股に分かれており、一方が下向きに突出する（第１の）接続端子４２１となり、他方が上向きに突出する（第２の）接続端子４２１となる。つまり、複数の接続端子４２１，４２１…は、突出片４２３の先端から延長されており、且つ平板４２２の長手方向に分割されている。上向きに突出する接続端子４２１は、下向きに突出する接続端子４２１に比べて前方に位置しており、隔壁１３３と中性極バー４３との間の隙間を通して隔壁１３３の上側へ突出する。
【００３６】
上述した構成により、図４に示すように隔壁１３３の上側においては、３本の導電バー４１，４２，４３は、前後方向において手前側（壁とは反対側）から中性極バー４３、導電バー４２（接続端子４２１）、導電バー４１（接続端子４１１）の順に並ぶ。隔壁１３３の下側においては、３本の導電バー４１，４２，４３は、前後方向において手前側（壁とは反対側）から中性極バー４３、導電バー４１（接続端子４１１）、導電バー４２（接続端子４２１）の順に並ぶ。
【００３７】
尚、導電バー４１は、導電バー４１の短手方向の一端部に、導電バー４１の長手方向に並ぶ複数の接続端子４１１，４１１…を有していればよく、これら複数の接続端子４１１，４１１…は互いに分離（分割）されていなくてもよい。つまり、導電バー４１の短手方向の一端部は、導電バー４１の長手方向に並ぶ複数の接続端子４１１，４１１…に分岐されていることは必須ではなく、分岐ブレーカ３がそれぞれ接続される接続端子４１１が複数あればよい。導電バー４２の複数の接続端子４２１，４２１…についても同様である。
【００３８】
次に、分電盤１の内器（キャビネット本体１１に取付可能な内器）について説明する。電流計測器５の具体的な構成についても以下に説明する。
【００３９】
主幹ブレーカ２は、その一次側端子２１に、系統電源（商用電源）の単相三線式の引込線が電気的に接続される。主幹ブレーカ２の二次側端子（図示せず）には、上述した３本の導電バー４１，４２，４３が電気的に接続される。主幹ブレーカ２は、一次側に接続された系統電源からの電力を二次側へ供給する投入状態と、該電力の供給を遮断する開放状態とを切替可能に構成されている。
【００４０】
複数の分岐ブレーカ３，３…は、キャビネット本体１１のベース台１３の前方において、隔壁１３３の上側と下側とに分かれて、それぞれ複数個ずつ左右方向に並ぶように配置されている。各分岐ブレーカ３は、一次側端子３２と二次側端子（図示せず）とを有しており、一次側端子３２が導電バー４１，４２，４３に電気的に接続され、二次側端子には複数の電路（図示せず）の各々が接続される。各分岐ブレーカ３は、協約形寸法に形成されている。ここで、協約形寸法とは「ＪＩＳ  Ｃ８２０１−２−１」に準拠した電灯分電盤用の回路遮断器の寸法（及び形状）をいう。
【００４１】
これら複数の分岐ブレーカ３，３…の各々は、隣接する支柱１３２−仕切り１３４間、あるいは隣接する一対の仕切り１３４，１３４間にそれぞれ配置される。言い換えれば、各分岐ブレーカ３は、左右方向において仕切り１３４，１３４…にて仕切られた各スペースに１つずつ取り付けられることになる。
【００４２】
各分岐ブレーカ３の二次側端子に接続された電路には、例えば照明器具や給湯設備等の機器、差込接続装置のコンセント（アウトレット）や壁スイッチ等の配線器具が負荷として１つ以上接続され、分岐回路を構成する。つまり、複数の分岐ブレーカ３，３…はそれぞれ分岐回路が電気的に接続され、主幹ブレーカ２からの電力を各分岐回路へ供給する投入状態と、該電力の供給を遮断する開放状態とを切替可能に構成されている。
【００４３】
各分岐ブレーカ３は、各導電バー４１，４２，４３が差し込まれる差込口３１を、隔壁１３３との対向面に有している。差込口３１は、各分岐ブレーカ３において前後方向に３個ずつ設けられている。一次側端子３２は、これら３個の差込口３１，３１，３１のうち２個の差込口３１，３１内に露出するように設けられている。これにより、各分岐ブレーカ３は、キャビネット本体１１に取り付けられた状態で、差込口３１に各導電バー４１，４２，４３が差し込まれ、いずれか一対の導電バー４１，４２，４３に一次側端子３２が電気的に接続される。尚、導電バー４１に対応する差込口３１には接続端子４１１の先端部が差し込まれ、導電バー４２に対応する差込口３１には接続端子４２１の先端部が差し込まれる。
【００４４】
第１の電圧極あるいは第２の電圧極と中性極とに接続される分岐ブレーカ（以下、「１００Ｖ用分岐ブレーカ」ともいう）３は、一次側端子３２，３２が、３個の差込口３１，３１，３１のうち、両端の２個の差込口３１，３１内に露出するように設けられている。これにより、１００Ｖ用分岐ブレーカ３は、隔壁１３３の上側に取り付けられた状態では、第１の電圧極と中性極とに対して電気的に接続され、隔壁１３３の下側に取り付けられた状態では、第２の電圧極と中性極とに対して電気的に接続される。
【００４５】
また、第１の電圧極及び第２の電圧極に接続される分岐ブレーカ（以下、「２００Ｖ用分岐ブレーカ」ともいう）３は、一次側端子３２，３２が、３個の差込口３１，３１，３１のうち、後ろ側の２個の差込口３１，３１内に露出するように設けられている。これにより、２００Ｖ用分岐ブレーカ３は、隔壁１３３の上側及び下側のいずれに取り付けられた状態でも、第１の電圧極と第２の電圧極とに対して電気的に接続される。
【００４６】
次に、電流計測器５の具体的な構成について図１、図３及び図４を参照して説明する。電流計測器５は、基板５１と、基板５１を収納するケース（図示せず）とを有している。尚、図３及び図４では、電流計測器５は、ケースの図示が省略され、基板５１が露出した状態で図示されている。
【００４７】
ケースには、接続端子４１１及び接続端子４２１に対応する各位置に、基板５１の厚み方向に貫通する透孔（図示せず）それぞれ形成されている。
【００４８】
基板５１は、突出片４１３（４２３）に沿って配置されている。ここで、処理回路５３は、基板５１の厚み方向において突出片４１３（４２３）とは反対側に設けられている。言い換えれば、電流計測器５の基板５１は、処理回路５３が設けられている面を導電バー４１（４２）の突出片４１３（４２３）とは反対側に向けるように取り付けられている。
【００４９】
基板５１のうち透孔に対応する各位置には、基板５１を厚み方向に貫通する（第１の）貫通孔５１１及び（第２の）貫通孔５１２が形成されている。貫通孔５１１は基板５１の後寄りの部位に形成されていて、貫通孔５１２は貫通孔５１１よりも前寄りの部位に形成されている。貫通孔５１１，５１２は、それぞれ接続端子４１１，４２１が貫通する大きさに形成されている。
【００５０】
これにより、電流計測器５は、複数の透孔に、複数の接続端子４１１，４１１…及び複数の接続端子４２１，４２１…が差し込まれた状態で、接続端子４１１，４１１…及び接続端子４２１，４２１…に取り付けられることになる。この状態で、第１の電圧極の導電バー４１の各接続端子４１１、及び第２の電圧極の導電バー４２の各接続端子４２１は、基板５１の各貫通孔５１１（５１２）を貫通する。さらに、この状態では、各接続端子４１１及び各接続端子４２１は、各透孔及び各貫通孔５１１，５１２を通って分岐ブレーカ３に接続されることになる。
【００５１】
電流計測器５は、第１検出部５２１と、第２検出部５２２と、第１検出部５２１及び第２検出部５２２の出力を受ける処理回路５３とを１枚の基板５１に有している。電流計測器５は、基板５１を複数の接続端子４１１，４１１…（４２１，４２１…）が貫通するように配置されている。
【００５２】
中性極バー４３の下側に取り付けられる電流計測器５では、貫通孔５１１に接続端子４２１が通されていて、貫通孔５１２に接続端子４１１が通されている。一方、中性極バー４３の上側に取り付けられる電流計測器５では、貫通孔５１１に接続端子４１１が通されていて、貫通孔５１２に接続端子４２１が通されている。
【００５３】
本実施形態においては、透孔及び貫通孔５１１，５１２は、基板５１の厚み方向に直交する平面内で円形状や矩形状に開口するように形成されているが、これらの形状に限定する趣旨ではない。つまり、各透孔及び各貫通孔５１１，５１２は、基板５１の厚み方向に貫通していればよく、該厚み方向に直交する平面内における開口形状が、円形や矩形以外の形状であってもよく、例えばＵ字状のように一方向に開放された形状であってもよい。
【００５４】
尚、隔壁１３３の上側に取り付けられる電流計測器５と、隔壁１３３の下側に取り付けられる電流計測器５とは、基本的な構成が共通しており、上下方向において略対称となる構成を採用している。そのため、以下ではこれら一対の電流計測器５，５のうち、第２の電圧極の導電バー４２の各接続端子４２１を流れる電流の値を計測する電流計測器５、つまり隔壁１３３の下側に取り付けられる電流計測器５に着目して説明する。ただし、とくに断りがなければ、この電流計測器５の構成は、隔壁１３３の上側に取り付けられる電流計測器５にも共通することとする。
【００５５】
第１検出部５２１は、貫通孔５１１の周囲に設けられ、貫通孔５１１内を通る複数の接続端子４２１，４２１…を流れる電流に応じた電気信号を出力する。各第１検出部５２１は、それぞれ複数の分岐ブレーカ３，３…の各々を流れる電流の値を計測するように構成されている。各第１検出部５２１は、変流器（カレントトランス）、ホール素子、磁気抵抗素子、ＧＭＲ（Giant Magnetic Resistances）素子、シャント抵抗等のセンサが用いられる。一例として、ここでは各第１検出部５２１は、コアを用いない（コアレスの）空芯コイルからなり、貫通孔５１１内を通過する電流に応じた出力を生じるロゴスキコイルである。電流計測器５は、各第１検出部５２１の出力に基づいて、複数の分岐ブレーカ３，３…の各々を流れる電流の値を算出する。複数の分岐ブレーカ３，３…の各々を流れる電流の値は、これら複数の分岐ブレーカ３，３…に接続された複数の電路の各々を流れる電流の値と同じである。
【００５６】
つまり第１検出部５２１は、電流計測器５が隔壁１３３の下側に取り付けられたときには第２の電圧極の電流の値を計測する。尚、電流計測器５が隔壁１３３の上側に取り付けられた場合、第１検出部５２１は第１の電圧極の電流の値を計測することになる。
【００５７】
第２検出部５２２は、貫通孔５１２の周囲に設けられ、貫通孔５１２内を通る複数の接続端子４１１，４１１…を流れる電流に応じた電気信号を出力する。各第２検出部５２２は、それぞれ複数の分岐ブレーカ３，３…の各々を流れる電流の値を計測するように構成されている。各第２検出部５２２は、第１検出部５２１と同様のロゴスキコイルで構成されている。尚、各第２検出部５２２は、ロゴスキコイルで構成されることに限定されず、電流の値を計測できる適宜の構成でよい。
【００５８】
つまり第２検出部５２２は、電流計測器５が隔壁１３３の下側に取り付けられたときには第１の電圧極の電流の値を計測する。尚、電流計測器５が隔壁１３３の上側に取り付けられた場合、第２検出部５２２は第２の電圧極の電流の値を計測することになる。
【００５９】
処理回路５３は、貫通孔５１２の左側に設けられている。処理回路５３は、基板５１が有する配線部５４に電気的に接続されている。処理回路５３は、配線部５４を介して第１検出部５２１及び第２検出部５２２の各々に電気的に接続されている。尚、処理回路５３は、貫通孔５１２の左側に設けられることに限定されず、基板５１の適宜の部位に設けられていてもよい。
【００６０】
処理回路５３は、例えばＡＳＩＣ（Application Specific Integrated Circuit）からなり、第１検出部５２１の出力に対し、積分等の適宜の処理を施すように構成されている。ここでは、基板５１は多層基板であって、配線部５４は、基板５１の互いに異なる層に形成された導電パターン同士をスルーホール接続（ビア接続）することによって、ツイストペア線を形成するように構成されている。
【００６１】
本実施形態ではさらに、電流計測器５は、各第１検出部５２１の出力を用いて、複数の電路の各々の瞬時電力を演算する演算装置５５を基板５１に有している。演算装置５５は、例えばマイコン（マイクロコンピュータ）からなり、処理回路５３と通信することにより、第１検出部５２１の出力に適宜の処理が施された後のデータを処理回路５３から受信する。演算装置５５は、複数の電路の各々の線間電圧の値を示す電圧情報を計測ユニット６から取得し、各第１検出部５２１の出力から求まる電流の値と、電圧情報とに基づいて、瞬時電力の値を分岐回路の電力情報として求めるように構成されている。
【００６２】
このような構成により、隔壁１３３の下側に取り付けられる電流計測器５は、複数の接続端子４１１，４１１…及び複数の接続端子４２１，４２１…に取り付けられ、接続端子４１１，４１１…及び接続端子４２１，４２１…の各々を流れる電流の値を計測する。この電流計測器５は、隔壁１３３の下側に取り付けられる分岐ブレーカ３、例えば第２の電圧極−中性極間に接続された１００Ｖ用分岐ブレーカ３や、第１の電圧極−第２の電圧極間に接続された２００Ｖ用分岐ブレーカ３に流れる電流の値を計測する。
【００６３】
尚、隔壁１３３の上側に取り付けられる電流計測器５は、複数の接続端子４１１，４１１…及び複数の接続端子４２１，４２１…に取り付けられ、接続端子４２１，４２１…及び接続端子４１１，４１１…の各々を流れる電流の値を計測する。この電流計測器５は、隔壁１３３の上側に取り付けられる分岐ブレーカ３、例えば第１の電圧極−中性極間に接続された１００Ｖ用分岐ブレーカ３や、第１の電圧極−第２の電圧極間に接続された２００Ｖ用分岐ブレーカ３に流れる電流の値を計測する。
【００６４】
電流計測器５は、計測ユニット６を介して第１通信アダプタ７１に電気的に接続されており、計測ユニット６を通して第１通信アダプタ７１へ分岐回路の電力情報を送信する。
【００６５】
計測ユニット６は、上述した３本の導電バー４１，４２，４３に電気的に接続されており、導電バー４１，４２，４３からの電力を受けて、電流計測器５や第１通信アダプタ７１を含む内器の動作用電源を生成する電源回路（図示せず）を有している。さらに、計測ユニット６は、導電バー４１，４２，４３間の電圧を計測し、計測された電圧の値を電圧情報として電流計測器５へ出力する機能を有している。
【００６６】
また、計測ユニット６は、電流計測器５での計測対象である分岐回路以外の特定回路について、電力を計測するように構成されている。具体的には、計測ユニット６は、カレントトランス（ＣＴ）からなる電流センサ（図示せず）が電気的に接続され、この電流センサによって、例えば主幹ブレーカ２を通過する電流の値を計測する。そして、計測ユニット６は、計測された電流の値と、電圧情報とに基づいて、瞬時電力の値を特定回路の電力情報として求めるように構成されている。計測ユニット６は、第１通信アダプタ７１と電気的に接続されており、特定回路の電力情報を第１通信アダプタ７１へ送信する。
【００６７】
尚、電流計測器５及び計測ユニット６は、本実施形態ではそれぞれ電力情報を求めるように構成されているが、この例に限らず、少なくとも各電路（分岐回路または特定回路）に流れる電流の値を計測する構成であればよい。例えば、電流計測器５及び計測ユニット６は、計測した電流値を第１通信アダプタ７１へ送信する構成であってもよい。
【００６８】
第１通信アダプタ７１は、機器（図示せず）の制御を行うコントローラ（図示せず）との通信機能を有する。ここでいう機器はＨＥＭＳ（Home Energy Management System）対応機器である。ＨＥＭＳ対応機器は、消費電力の管理対象であれば足り、例えば、ＨＥＭＳにおいて重要な８機器（スマートメータ、太陽光発電装置、蓄電装置、燃料電池、電気自動車、エアコン、照明器具、給湯装置）等を含む。さらに、ＨＥＭＳ対応機器は、４大電力消費源の他の２つ、冷蔵庫、テレビ受像機等を含んでもよい。ただし、ＨＥＭＳ対応機器をこれらの機器に限定する趣旨ではない。
【００６９】
また、第１通信アダプタ７１は、電流計測器５からは分岐回路の電力情報を受信し、計測ユニット６からは特定回路の電力情報を受信するように構成されている。第１通信アダプタ７１は、これらの電力情報を取得することによって、複数の電路の各々の瞬時電力のデータを収集する機能を有している。さらに、第１通信アダプタ７１は、複数の電路の各々について、瞬時電力を所定時間に亘って積算した電力量を演算する機能を有していてもよい。
【００７０】
第１通信アダプタ７１は、これらの電力情報（瞬時電力あるいは電力量）をコントローラへ送信する。コントローラは、電力情報を用いて（ＨＥＭＳ対応）機器を制御するように構成されている。これにより、コントローラは、複数の電路の各々での消費電力に基づいて機器を制御することができる。
【００７１】
ここで、コントローラは、ＨＥＭＳのコントローラである。ＨＥＭＳのコントローラは、表示端末（図示せず）を制御して電力情報を可視化（見える化）したり、電力情報に基づいて（ＨＥＭＳ対応）機器を制御したりする機能を有しており、分電盤１外に設置されている。このコントローラによれば、機器での電力消費の状況を管理することが可能になり、電力の無駄な消費を抑えることができる。
【００７２】
コントローラは、宅内に設置されており、例えば電波を媒体とした無線通信、あるいは有線ＬＡＮ（Local Area Network）等の有線通信によって、第１通信アダプタ７１と通信したり、宅内の（ＨＥＭＳ対応）機器を制御したりする。尚、コントローラは、インターネット等のネットワーク（図示せず）に接続され、該ネットワークを介した通信により、第１通信アダプタ７１と通信したり、宅内の（ＨＥＭＳ対応）機器を制御したりする構成であってもよい。
【００７３】
尚、第１通信アダプタ７１は、上述したコントローラに相当する機能を有していてもよい。これにより、第１通信アダプタ７１は、複数の電路の各々での消費電力に基づいて機器を制御することができる。
【００７４】
第２通信アダプタ７２は、通信機能を有する電力メータ（図示せず）と通信する機能を有している。第２通信アダプタ７２は、第１通信アダプタ７１と機械的に結合され、且つ電気的に接続される。本実施形態では、第１通信アダプタ７１と第２通信アダプタ７２とは、各々の一部が前後方向に重なった状態で、基板対基板（board to board）接続によって接続されている。そのため、第１通信アダプタ７１が取り付けられる第６スペースの一部は、第２通信アダプタ７２の取り付けスペースを兼ねることになる。
【００７５】
ここでいう電力メータは、所謂スマートメータであって、需要家での使用電力量を計測し、配電線に接続されているコンセントレータ（図示せず）と通信を行うことにより遠隔検針等を可能にする。さらにまた、供給事業者である電力会社、あるいは節電事業者によって運営されているサーバから各需要家の電力メータに、電力の消費を抑制するための要請である要請情報が送信される場合がある。電力メータは、第２通信アダプタ７２との通信により、計量値（使用電力量）や要請情報等を第２通信アダプタ７２へ送ることができる。
【００７６】
第３通信アダプタ７３は、ガスメータ、水道メータ、太陽光発電装置、蓄電装置、電気自動車に電気的に接続される電力変換装置の少なくとも１つからなるエネルギー管理装置（図示せず）との通信機能を有している。ここでいう電力変換装置は、分電盤１側から電気自動車への単方向充電を行うための電力変換の他、双方向に電力変換を行うことで電気自動車の蓄電池の充電と放電との両方に用いられる構成であってもよい。ただし、電力変換装置は、蓄電池との間で電力の授受を行う構成であればよく、蓄電池の充電と放電とのいずれか一方のみを行う構成であってもよい。
【００７７】
第３通信アダプタ７３は、第１通信アダプタ７１と機械的に結合され、且つ電気的に接続される。本実施形態では、第１通信アダプタ７１と第３通信アダプタ７３とは、各々の一部が前後方向に重なった状態で、基板対基板接続によって接続されている。そのため、第１通信アダプタ７１が取り付けられる第６スペースの一部は、第３通信アダプタ７３の取り付けスペースを兼ねることになる。
【００７８】
第１通信アダプタ７１とコントローラとの間の通信方式は、例えば９２０ＭＨｚ帯の特定小電力無線、Ｚｉｇｂｅｅ（登録商標）、Ｂｌｕｅｔｏｏｔｈ（登録商標）等の電波を媒体とした無線通信であってもよい。さらに、第１通信アダプタ７１とコントローラとの間の通信方式は、有線ＬＡＮ等の有線通信であってもよい。また、第１通信アダプタ７１とコントローラとの間の通信における通信プロトコルは、例えばＥｔｈｅｒｎｅｔ（登録商標）、ＥＣＨＯＮＥＴ（登録商標）Ｌｉｔｅ等を用いてもよい。尚、有線通信には、電力線を伝送媒体に用いて通信を行う電力線搬送通信（ＰＬＣ：Power Line Communications）も含む。
【００７９】
同様に、第２通信アダプタ７２と電力メータとの間の通信方式についても、無線通信、有線通信を問わず適宜の方式が適用可能である。さらに、第３通信アダプタ７３とエネルギー管理装置との間の通信方式についても、無線通信、有線通信を問わず適宜の方式が適用可能である。
【００８０】
また、一次連系ブレーカ（図示せず）は、主幹ブレーカ２の一次側端子２１に電気的に接続され、且つ電力系統への逆潮流が許容されている分散電源（図示せず）に電気的に接続される。この種の分散電源としては、例えば太陽光発電装置等がある。また、太陽光発電装置と蓄電装置とが一体となり、太陽電池の発電電力を蓄電池に蓄え、蓄電池の電力を分電盤１に接続された機器へ供給するように構成された所謂、創蓄連携システムが分散電源として一次連系ブレーカに接続されてもよい。
【００８１】
一次連系ブレーカは、主幹ブレーカ２の一次側と、分散電源との間に電気的に接続されることになる。これにより、一次連系ブレーカは、例えば系統電源からの電力供給が停止したときや、系統電源あるいは分散電源に異常が生じたとき等に、分散電源を電力系統から切り離す（解列する）ように動作する。一次連系ブレーカは、一次側端子（図示せず）と二次側端子（図示せず）とを有しており、一次側端子が主幹ブレーカ２の一次側端子２１に電気的に接続され、二次側端子に分散電源が接続される。一次連系ブレーカは、３Ｐ３Ｅ（極数３、素子数３）で、左右方向の寸法が分岐ブレーカ３の複数個分（３個分）の大きさのブレーカである。
【００８２】
二次連系ブレーカ８は、導電バー４１，４２，４３に電気的に接続され、且つ電力系統への逆潮流が許容されていない分散電源（図示せず）に電気的に接続される。この種の分散電源としては、例えば燃料電池、ガス発電装置、蓄電装置等がある。二次連系ブレーカ８は、主幹ブレーカ２の二次側端子と、分散電源との間に電気的に接続されることになる。これにより、二次連系ブレーカ８は、例えば系統電源からの電力供給が停止したときや、系統電源あるいは分散電源に異常が生じたとき等に、分散電源を電力系統から切り離す（解列する）ように動作する。
【００８３】
二次連系ブレーカ８は、分岐ブレーカ３と同様に一次側端子（図示せず）と二次側端子８１とを有しており、一次側端子が導電バー４１，４２，４３に電気的に接続され、二次側端子８１に分散電源が接続される。二次連系ブレーカ８は、３Ｐ３Ｅ（極数３、素子数３）で、左右方向の寸法が分岐ブレーカ３の複数個分（３個分）の大きさのブレーカである。この二次連系ブレーカ８は、図２の例では、隔壁１３３の下側に取り付けられた複数の分岐ブレーカ３，３…のうち右から３個目までの分岐ブレーカ３，３，３に代えて、キャビネット本体１１に取り付けられる。つまり、二次連系ブレーカ８は、第２スペースのうち隔壁１３３の下側の一部に取り付けられることになる。
【００８４】
＜特徴構成＞
ここで、電流計測器５の処理回路５３の動作について図５、図６を参照して説明する。
【００８５】
処理回路５３は、第１検出部５２１及び第２検出部５２２の各々の出力結果に応じて、各分岐ブレーカ３の二次側端子に接続されている負荷が、第１の電圧極−第２の電圧極間に接続されているか、中性極−第２の電圧極間に接続されているかを判断する。
【００８６】
処理回路５３は、第１検出部５２１が接続端子４２１に電流が流れているか否かを判断する（ステップＳ１）。第１検出部５２１が電流を検出している場合、処理回路５３は、接続端子４１１に電流が流れているか否かを判断する（ステップＳ２）。第２検出部５２２から電流値情報が入力されていなければ、処理回路５３は、第１電流Ｉ１００が中性極バー４３と接続端子４２１とを流れていると判断し、負荷が中性極バー４３−接続端子４２１（第２の電圧極）間に接続されていると判断する。すなわち、分岐ブレーカ３の二次側端子の定格電圧値は１００Ｖであると判断する（ステップＳ３）。
【００８７】
第２検出部５２２から電流値情報が入力されていれば、処理回路５３は、分岐ブレーカ３の二次側端子の負荷は、接続端子４１１（第１の電圧極）−接続端子４２１（第２の電圧極）間に接続されていると判断する。すなわち、分岐ブレーカ３の二次側端子の定格電圧値は２００Ｖであると判断する（ステップＳ４）。
【００８８】
演算装置５５は、処理回路５３が出力した定格電圧値と、計測ユニット６から取得した電圧情報と、各第１検出部５２１の出力から求まる電流値情報とに基づいて電力情報を求める。すなわち電流計測器５は、第１検出部５２１及び第２検出部５２２の出力結果に応じて、分岐ブレーカ３の二次側端子の負荷が、中性極−電圧極間に接続されているか、または電圧極間に接続されているかを判断する。言い換えると、電流計測器５は、第１検出部５２１及び第２検出部５２２の各々の出力結果に応じて、分岐ブレーカ３の定格電圧値が１００Ｖ又は２００Ｖかを判断する。
【００８９】
尚、処理回路５３は、分岐ブレーカ３の二次側端子の定格電圧値の判断結果や第１検出部５２１の出力から求まる電流値情報を、外部の機器（例えば第１通信アダプタ７１）に出力するように構成されていてもよい。例えば処理回路５３は、分岐ブレーカ３の二次側端子の定格電圧値の判断結果を第１通信アダプタ７１に出力することにより、第１通信アダプタ７１は、各分岐ブレーカ３の定格電圧値を他の機器に出力することが可能になる。また作業者が第１通信アダプタ７１を操作して、各分岐ブレーカ３の定格電圧値を確認することも可能になる。
【００９０】
以上説明したように、本実施形態の電流計測器５は、第１検出部５２１と、第２検出部５２２と、処理回路５３（判断部）とを備えている。第１検出部５２１は、単相３線式の主幹ブレーカ２から複数の分岐ブレーカ３への電力の電路（中性極バー４３，接続端子４１１，４２１）において、２つの電圧相（Ｌ１相、Ｌ２相）のうち一方の電圧相の電流値情報を検出する。電流値情報とは、第１電流Ｉ１００又は第２電流Ｉ２００の電流値情報である。第２検出部５２２は、２つの電圧相（Ｌ１相、Ｌ２相）のうち他方の電圧相に電流が流れているか否かを検出する。処理回路５３（判断部）は、第１検出部５２１が検出した電流値情報及び第２検出部５２２の検出結果に基づいて、２つの電圧相（Ｌ１相、Ｌ２相）間に負荷が接続されているか、又は一方の電圧相と中性相との間に負荷が接続されているかを判断する。
【００９１】
本実施形態の分電盤１は、電流計測器５と、主幹ブレーカ２と、複数の分岐ブレーカ３と、電流計測器５、主幹ブレーカ２、及び複数の分岐ブレーカ３が取り付けられるキャビネット本体１１（分電盤用キャビネット）とを備えている。
【００９２】
＜効果＞
処理回路５３は、第１検出部５２１と第２検出部５２２との検出結果に基づいて、２つの電圧相間に負荷が接続されているか、中性相−電圧相間に負荷が接続されているかを判断して外部に出力する。処理回路５３は、単相３線式の電路のうち、どの２つの電路間に負荷が接続されているかを判断することにより、分岐ブレーカの定格電圧値に関する情報を出力するので、分岐ブレーカの定格電圧値の設定作業を省略できる。
【００９３】
分電盤１は、電流計測器５を備えているので、分岐ブレーカ３の定格電圧値の設定作業を省略できる。
【００９４】
ところで、処理回路５３は、第２検出部５２２が検出する電流値が所定の範囲内に収まる場合に、接続端子４１１に電流が流れていると判断するように構成されていてもよい。例えば、第２検出部５２２が検出した電流値に２つの所定の係数ｋ１，ｋ２（ｋ１＜ｋ２）を各々乗算することにより定まる範囲内に、第１検出部５２１が検出した電流値が収まっていれば、処理回路５３は第２電流Ｉ２００が流れていると判断してもよい。言い換えると、第２検出部５２２が検出した電流値と、第１検出部５２１が検出した電流値との差が、所定の範囲内に収まっている場合に、処理回路５３は第２電流Ｉ２００が流れていると判断してもよい。つまり、接続端子４１１に流れている電流値が接続端子４２１に流れている電流値に近い場合に、処理回路５３は、接続端子４１１（第１の電圧極）−接続端子４２１（第２の電圧極）間に負荷が接続されていると判断する。
【００９５】
処理回路５３は、第２検出部５２２が検出した電流値と、第１検出部５２１が検出した電流値との差が、所定の範囲内に収まっていない場合に、第１電流Ｉ１００が流れていると判断してもよい。この場合、処理回路５３は、接続端子４２１に流れている電流が接続端子４１１には流れていないと判断し、接続端子４１１に流れている電流は中性極バー４３に流れていると判断する。つまり処理回路５３は、中性極バー４３（中性極）−接続端子４２１（第２の電圧極）間に負荷が接続されていると判断する。
【００９６】
つまり、電流計測器５は、第１検出部５２１及び第２検出部５２２の各々の出力結果を比較して、分岐ブレーカ３の定格電圧値が１００Ｖ又は２００Ｖかを判断する。
【００９７】
以上説明したように、本実施形態の第２検出部５２２は、２つの電圧相（Ｌ１相、Ｌ２相）のうち他方の電圧相の電流値情報を検出する。処理回路５３（判断部）は、第１検出部５２１が検出した電流値情報と第２検出部５２２が検出した電流値情報との差が所定の範囲内に収まっているか否かに応じて、２つの前記電圧相の間に前記負荷が接続されていると判断する。
【００９８】
処理回路５３は、第１検出部５２１及び第２検出部５２２の検出結果を比較して負荷が接続されている電路を判断するので、例えばノイズ等によって第２検出部の検出結果が多少変動しても、処理回路５３は誤判断しにくくなる。
【００９９】
尚、本実施形態の第２検出部５２２は、接続端子４２１（第２の電圧極）を流れる電流の電流値を検出しているが、中性極バー４３を流れる電流値を計測するように構成されていてもよい。例えば中性極バー４３に突出部（図示せず）を形成し、その突出部の周囲に第２検出部５２２を設けることにより中性極バー４３を流れる電流値を計測できる。例えば、基板５１のうち中性極バー４３に近い部位に厚み方向に直交する孔（図示せず）を形成し、その孔の周囲に第２検出部５２２を設け、中性極バー４３の突出部をその孔を通す構成でもよい。尚、厚み方向に直交する平面内における開口形状が、円形や矩形以外の形状であってもよく、例えばＵ字状のように一方向に開放された形状であってもよい。例えば、基板５１のうち中性極バー４３に近い部位にＵ字状の溝（図示せず）を形成し、その溝の周囲に沿うように第２検出部５２２を設け、中性極バー４３の突出部をその溝内に配置する構成でもよい。
【０１００】
上記のように第２検出部５２２が中性極バー４３を流れる電流値を計測する場合、第１検出部５２１が検出した電流値と第２検出部５２２が検出した電流値とが近ければ、処理回路５３は第１電流Ｉ１００が流れていると判断するように構成されていればよい。またこの場合、第２検出部５２２は、中性極バー４３−接続端子４２１間に負荷が接続されていると判断するように構成されていればよい。つまり、処理回路５３は、分岐ブレーカ３の定格電圧値が１００Ｖであると判断する。また、第１検出部５２１が電流を検出していて、第２検出部５２２が電流を検出していない場合、処理回路５３は第２電流Ｉ２００が流れていると判断し、接続端子４１１−接続端子４２１間に負荷が接続されていると判断するように構成されていればよい。つまり処理回路５３は、分岐ブレーカ３の定格電圧値は２００Ｖであると判断する。
【０１０１】
本実施形態の第１検出部５２１は貫通孔５１１の周囲に設けられているが、第１検出部５２１と第２検出部５２２とは逆に配置されていてもよい。つまり、第１検出部５２１が貫通孔５１２の周囲に設けられ、第２検出部５２２が貫通孔５１１の周囲に設けられていてもよい。この場合、電流計測器５は、接続端子４１１（第１の電圧極）に流れる電流の電流値を検出し、電力値を演算するように構成される。例えば第１の電圧極（Ｌ１相）が後方に配置され、第２の電圧極（Ｌ２相）が第１の電圧極よりも前方に配置され、第２の電圧極よりも前方に中性極バーが配置されている構成の分電盤にも電流計測器５を用いることができる。つまり、本実施形態のように隔壁１３３の上側と下側とでＬ１相とＬ２相とが入れ替わるような構成になっていない従来の分電盤に用いても、電流計測器５はＬ１相又はＬ２相の電流値情報を検出できるように構成可能である。
【０１０２】
尚、各第２検出部５２２は、第１検出部５２１よりも電流値の計測精度があまり高くない簡易な計測器等で構成されていてもよい。第２検出部５２２の検出精度に応じて、所定の閾値を適宜設定することで、処理回路５３は、第１検出部５２１及び第２検出部５２２の出力結果に応じて判断動作を行うことができる。
【０１０３】
（実施形態２）
本実施形態に電流計測器５は、図７に示すように、実施形態１の第２検出部５２２の変形例である第２検出部５２３を備えている。以下、実施形態１と同様の構成については、共通の符号を付して適宜説明を省略する。
【０１０４】
第２検出部５２３は、貫通孔５１１及び貫通孔５１２の両方の周囲に設けられている。第２検出部５２３は、貫通孔５１１内を通る接続端子４２１を流れる電流が発生させる磁束と、貫通孔５１２内を通る接続端子４１１を流れる電流が発生させる磁束との合成磁束に応じた電気信号を出力する。各第２検出部５２３は、それぞれ複数の分岐ブレーカ３，３…の各々を流れる電流の値を計測するように構成されている。各第２検出部５２３は、第１検出部５２１と同様のロゴスキコイルで構成されている。尚、各第２検出部５２３は、ロゴスキコイルで構成されることに限定されず、電流の値を計測できる適宜の構成でよい。
【０１０５】
つまり第２検出部５２３は、接続端子４２１を流れる電流が発生させる磁束と、接続端子４１１を流れる電流が発生させる磁束との合成磁束に応じた電気信号を出力する点で、第１検出部５２１や実施形態１の第２検出部５２２と相違する。
【０１０６】
本実施形態の第２検出部５２３は、前後方向に長い環状に形成されているが、この形状に限定される趣旨ではない。第２検出部５２３は、貫通孔５１１内を通る接続端子４２１を流れる電流が発生させる磁束と、貫通孔５１２内を通る接続端子４１１を流れる電流が発生させる磁束との合成磁束を検出できるように構成されていればよい。
【０１０７】
ここで、電流計測器５の処理回路５３の動作について図８、図９を参照して説明する。
【０１０８】
処理回路５３は、第１検出部５２１及び第２検出部５２３の各々の出力結果に応じて、各分岐ブレーカ３の二次側端子に接続されている負荷が、第１の電圧極−第２の電圧極間に接続されているか、中性極−第２の電圧極間に接続されているかを判断する。
【０１０９】
処理回路５３は、第１検出部５２１が接続端子４２１に電流が流れているか否かを判断する（ステップＳ５）。第１検出部５２１が電流を検出している場合、処理回路５３は、接続端子４１１を流れる電流が発生させる磁束と接続端子４１１を流れる電流が発生させる磁束との合成磁束に応じた電気信号が、所定の閾値以下であるか否かを判断する（ステップＳ６）。第２検出部５２３から出力された電気信号が所定の閾値を上回っている場合、処理回路５３は、接続端子４２１を流れる電流によって発生する磁束に応じた電気信号を第２検出部５２３が出力していて、接続端子４１１には電流が流れていないと判断する。つまり処理回路５３は、第１電流Ｉ１００が中性極バー４３と接続端子４２１とを流れていると判断し、負荷が中性極バー４３−接続端子４２１（第２の電圧極）間に接続されていると判断する。ゆえに処理回路５３は、分岐ブレーカ３の二次側端子の定格電圧値は１００Ｖであると判断する（ステップＳ７）。
【０１１０】
第２検出部５２３から出力された電気信号が所定の閾値以下の場合、処理回路５３は、接続端子４１１を流れる第２電流Ｉ２００によって発生する磁束と接続端子４２１を流れる第２電流Ｉ２００によって発生する磁束とが打ち消しあっていると判断する。処理回路５３は、分岐ブレーカ３の二次側端子の負荷が接続端子４１１（第１の電圧極）−接続端子４２１（第２の電圧極）間に接続されていると判断し、分岐ブレーカ３の二次側端子の定格電圧値は２００Ｖであると判断する（ステップＳ８）。
【０１１１】
処理回路５３は、分岐ブレーカ３の二次側端子の定格電圧値が１００又は２００Ｖであると判断する。すなわち電流計測器５は、第１検出部５２１及び第２検出部５２３の出力結果に応じて、分岐ブレーカ３の二次側端子の負荷が、中性極−電圧極間に接続されているか、または電圧極間に接続されているかの判断結果を外部に出力する。言い換えると、電流計測器５は、第１検出部５２１及び第２検出部５２３の出力結果に応じて、分岐ブレーカ３の定格電圧値が１００Ｖ又は２００Ｖかを判断する。
【０１１２】
尚、処理回路５３は、第２検出部５２３が出力する電気信号が所定の閾値を上回った場合に、第１電流Ｉ１００の磁束に基づいて出力された電気信号か否かを、第１検出部５２１の電流値情報に基づいて判断してもよい。例えば、第２検出部５２３がノイズによって所定の閾値を上回った信号を出力しても、出力された電気信号が第１検出部５２１の電流値情報に基づいた電気信号であるか否かを処理回路５３は判断する。例えば、出力された電気信号の値に所定の係数を乗算した結果が、第１電流Ｉ１００に基づいて定まる範囲内に収まっていれば、処理回路５３は第１電流Ｉ１００が流れていると判断するように構成されていてもよい。そのためノイズ等によって第２検出部５２３が磁束を誤検出しても、処理回路５３は分岐ブレーカ３の定格電圧値を誤判断しにくくなる。
【０１１３】
以上説明したように、本実施形態の第２検出部５２３は、２つの電圧相（Ｌ１相、Ｌ２相）の電路（接続端子４１１，４２１）の周りに配置されている。第２検出部５２３は、２つの電圧相（Ｌ１相、Ｌ２相）の電路のうち少なくとも一方の電路から発生する磁束に応じた電気信号を出力するように構成されている。処理回路５３（判断部）は、第２検出部５２３の出力が所定の閾値以下か否かに応じて、２つの電圧相（Ｌ１相、Ｌ２相）の間に負荷が接続されていると判断するように構成されている。
【０１１４】
処理回路５３は、２つの電圧相の電路のうち少なくとも一方の電路から発生する磁束と一方の電圧相を流れる電流値情報とに基づいて、負荷が２つの電圧相間に接続されているか又は中性相−電圧相間に接続されているかを判断することができる。
【０１１５】
尚、第１検知部５２１は貫通孔５１１の周囲に配置されることに限定されず、貫通孔５１２の周囲に配置されていてもよい。
【０１１６】
また、本実施形態の第２検出部５２３は、中性極バー４３及び接続端子４２１の両方の周囲に設けられて、中性極バー４３を流れる電流によって発生する磁束と接続端子４２１を流れる電流によって発生する磁束の合成磁束を検出するように構成されていてもよい。
【０１１７】
例えば中性極バー４３に突出部（図示せず）を形成し、その突出部の周囲に第２検出部５２３を配置することにより中性極バー４３を流れる電流によって発生する磁束を検出可能になる。例えば、基板５１のうち中性極バー４３に近い部位に厚み方向に直交する孔（図示せず）を形成し、その孔と貫通孔５１１とを囲むように第２検出部５２３を配置する。中性極バー４３の突出部をその孔を通すように構成することで、第２検出部５２３は、中性極バー４３を流れる電流によって発生する磁束及び接続端子４１１を流れる電流によって発生する磁束の合成磁束を検出することができる。また、厚み方向に直交する平面内における開口形状が、円形や矩形以外の形状であってもよく、例えばＵ字状のように一方向に開放された形状であってもよい。例えば、基板５１のうち中性極バー４３に近い部位にＵ字状の溝（図示せず）を形成し、その溝の周囲に沿うように第２検出部５２３を設け、中性極バー４３の突出部をその溝内に配置する構成でもよい。
【０１１８】
第２検出部５２３から出力された電気信号が所定の閾値を上回っている場合、処理回路５３は、接続端子４２１を流れる電流によって発生する磁束に応じた電気信号を第２検出部５２３が出力していて、中性極バー４３には電流が流れていないと判断すればよい。つまり処理回路５３は、第２電流Ｉ２００が接続端子４１１と接続端子４２１とを流れていると判断し、負荷が接続端子４１１（第１の電圧極）−接続端子４２１（第２の電圧極）間に接続されていると判断する。ゆえに処理回路５３は、分岐ブレーカ３の二次側端子の定格電圧値は２００Ｖであると判断するように構成されていればよい。
【０１１９】
第２検出部５２３から出力された電気信号が所定の閾値以下の場合、中性極バー４３を流れる第１電流Ｉ１００によって発生する磁束と接続端子４２１を流れる第１電流Ｉ１００とによって発生する磁束とが打ち消しあっていると判断すればよい。処理回路５３は、分岐ブレーカ３の二次側端子の負荷は、中性極バー４３−接続端子４２１（第２の電圧極）間に接続されていると判断すればよい。ゆえに処理回路５３は、分岐ブレーカ３の二次側端子の定格電圧値は１００Ｖであると判断するように構成されていればよい。
【０１２０】
その他の構成及び機能は実施形態１と同様である。
【０１２１】
尚、各第２検出部５２３は、磁束の計測精度があまり高くない簡易な計測器等で構成されていてもよい。各第２検出部５２３の出力について、計測器の計測精度に応じて適宜設定することにより、処理回路５３は、第１検出部５２１及び第２検出部５２３の出力結果に応じて判断動作を行うことができる。
【符号の説明】
【０１２２】
１  分電盤
１０  分電盤用キャビネット
２  主幹ブレーカ
３  分岐ブレーカ
４３  中性極バー（電路）
５  電流計測器
５３  処理回路（判断部）
５２１  第１検出部
５２２，５２３  第２検出部
４１１  接続端子（一方の電圧相、電路）
４２１  接続端子（他方の電圧相、電路）
【図１】
2015208095.tif 000003
【図２】
2015208095.tif 000004
【図３】
2015208095.tif 000005
【図４】
2015208095.tif 000006
【図５】
2015208095.tif 000007
【図６】
2015208095.tif 000008
【図７】
2015208095.tif 000009
【図８】
2015208095.tif 000010
【図９】
2015208095.tif 000011